(57)【要約】【課題】スキャナと操作パネルとを操作しやすい位置関係に配置するための、各種のケーブルの取り付け作業が容易に行えるスキャナ・操作パネル用スタンドを提供する。【解決手段】スキャナ・操作パネル用スタンド１５を、スキャナを、その上に載置するための天板１６であって、スキャナに行わせる処理の内容を指定するためのユーザによる操作を受け付ける装置である操作パネル１３を、その前方に取り付けるための天板１６と、天板１６の上面を床面に対してほぼ平行な状態に保持するための脚部１７とを、備え、天板１６の上面に、天板１６に取り付けられた操作パネル１３に接続されているケーブル２１〜２４、３３を、その内部に収容した形で天板１６の後方側まで引き出せる形状の２個の溝１６ａを形成されているものとしておく。【選択図】  図９
2004343305.tif 000002
【特許請求の範囲】
【請求項１】
スキャナを、その上に載置し、前記スキャナに行わせる処理の内容を指定するためのユーザによる操作を受け付ける装置である操作パネルを、その前方に取り付けるための天板、及び
前記天板の上面を、床面に対してほぼ平行な状態に保持するための脚部を、備え、
前記天板の上面に、前記天板に取り付けられた前記操作パネルに接続されている所定本数のケーブルを、その内部に収容した形で前記天板の後方側まで引き出せる形状の１個以上の溝が、形成されている
ことを特徴とするスキャナ・操作パネル用スタンド。
【請求項２】
前記天板が、前記操作パネルを取り付けることが可能な部材である操作パネル取付板を介して前記操作パネルが取り付けられる部材である
ことを特徴とする請求項１記載のスキャナ・操作パネル用スタンド。
【請求項３】
スキャナと、
前記スキャナに行わせる処理の内容を指定するためのユーザによる操作を受け付ける装置である操作パネルと、
前記スキャナを、その上に載置し、前記操作パネルを、その前方に取り付けるための天板と、当該天板の上面を、床面に対してほぼ平行な状態に保持するための脚部とを、有するスキャナ・操作パネル用スタンドとを、備え、
前記スキャナ・操作パネル用スタンドの前記天板の上面に、前記天板に取り付けられた前記操作パネルに接続されている所定本数のケーブルを、その内部に収容した形で前記天板の後方側まで引き出せる形状の１個以上の溝が、形成されている
ことを特徴とする画像読取処理装置。
【請求項４】
プリンタを、さらに、備え、
前記操作パネルが、前記スキャナに行わせる処理の内容を指定するための操作と前記スキャナ及び前記プリンタに行わせる処理の内容を指定するための操作とを受け付ける装置である
ことを特徴とする請求項３記載の画像読取処理装置。
【発明の詳細な説明】
【０００１】
【発明の属する技術分野】
本発明は、スキャナと操作パネルとを操作しやすい位置関係に配置するためのスキャナ・操作パネル用スタンドと、そのようなスキャナ・操作パネル用スタンドを備えた画像読取処理装置とに、関する。
【０００２】
【従来の技術】
既存のデジタル複合機の中には、コンピュータの周辺機器として使用可能なスキャナ及びプリンタに、幾つかの装置を組み合わせることによって構成されている装置が、存在している。そして、そのようなデジタル複合機は、通常、専用のスタンド（ラック／キャビネット）により各装置が一体化された形で、使用されるものとなっている。
【０００３】
具体的には、図１０（Ａ），（Ｂ）に示してあるように、スキャナ５１とプリンタ５２と操作パネル５３とネットワークスキャニングボックス５４とを、スキャナスタンド５５及び操作パネル取付板５８を用いて一体化したデジタル複合機（非特許文献１参照）が、存在している。
【０００４】
このデジタル複合機は、図１１に示したように、スキャナ５１とプリンタ５２とがスキャナ・プリンタ接続ケーブル６２によって接続され、操作パネル５３が、スキャナ５１，プリンタ５２とそれぞれスキャナ用ケーブル６４，プリンタ用ケーブル６５によって接続され、ネットワークスキャニングボックス５４が、スキャナ５１，ＬＡＮとそれぞれＳＣＳＩケーブル６４，ＬＡＮケーブル６６によって接続される装置である。さらに、このデジタル複合機は、スキャナ５１，プリンタ５２，ネットワークスキャニングボックス５４に、それぞれ、電源ケーブル６１，６３，６７によって電力が供給される装置であって、操作パネル５３には、プリンタ用ケーブル６５を介して電力が供給される装置となっている。
【０００５】
このデジタル複合機を構成している各装置の機能説明は省略するが、操作パネル５３は、デジタル複合機に行わせる処理の内容を指定するためのユーザによる操作を受け付ける装置である。この操作パネル５３は、図１２（Ａ）及び図１２（Ｂ）に示してあるように、ネットワークスキャニングボックス５４を、操作パネル５３に設けられているカバー５３ａ下に取り付けることが可能な装置となっている。なお、ネットワークスキャニングボックス５４は、操作パネル５３に取り付けることが可能な装置ではあるが、操作パネル５３と電気的には接続されない装置となっている。
【０００６】
また、図１２（Ｃ）に示してあるように、操作パネル５３は、その裏面の両端部分から、ケーブル６４〜６７が引き出せる形状の装置となっている。
【０００７】
一方、このデジタル複合機のために用意されているスキャナスタンド５５は、図１３に示したように、操作パネル取付板固定部５６ｂが設けられている天板５６に、天板５６の床面からの高さを調節可能な脚部５７が取り付けられたものとなっている。また、操作パネル取付板５８は、図１４に模式的に示したように、ケーブル６４〜６７を接続した操作パネル５３の裏面にねじ止めされる部材であって、上記した操作パネル取付板固定部５６ｂと嵌合構造をなしている突起部５８ｂを備えた部材となっている。
【０００８】
すなわち、この操作パネル取付板５８は、図１５に示したように、操作パネル５３が取り付けられた状態で、その突起部５８ｂがスキャナスタンド５５の操作パネル取付板固定部５６ｂに挿入されて固定（ねじ止め）される部材となっている。そして、このデジタル複合機の組み立て時には、ケーブル６４〜６７を接続した操作パネル５３を操作パネル取付板５８を用いてスキャナスタンド５５に取り付けた後、図１６（及び図１）に示してあるように、操作パネル５３の裏側から出ているケーブル６４〜６７を、幾つかのケーブルクランプ５９を用いて、天板５６の下面及び脚部５７に固定する作業が、行われている。
【０００９】
【非特許文献１】
コピーユニット  ＣＳ−６５００Ｓ  セットアップガイド，平成１２年１２月
【００１０】
【発明が解決しようとする課題】
上記した、ケーブルクランプ５９によってケーブル６４〜６７を固定する作業は、結構、大変な作業である。また、この種の作業に慣れた者でなくては、うまく行えない（きれいにケーブル６４〜４７を天板５６下を這わすことが出来ない）作業となっている。
【００１１】
そこで、本発明の課題は、スキャナと操作パネルとを操作しやすい位置関係に配置するためのスキャナ・操作パネル用スタンドであって、各種のケーブルの取り付け作業が容易に行えるスキャナ・操作パネル用スタンドを提供することにある。また、本発明の他の課題は、そのようなスキャナ・操作パネル用スタンドを備えた画像読取処理装置を、提供することにある。
【００１２】
【課題を解決するための手段】
上記課題を解決するために、本発明では、スキャナと操作パネルとを操作しやすい位置関係に配置するためのスキャナ・操作パネル用スタンドを、スキャナを、その上に載置し、スキャナに行わせる処理の内容を指定するためのユーザによる操作を受け付ける装置である操作パネルを、その前方に取り付けるための天板と、天板の上面を、床面に対してほぼ平行な状態に保持するための脚部とを、備え、天板の上面に、天板に取り付けられた操作パネルに接続されている所定本数のケーブルを、その内部に収容した形で天板の後方側まで引き出せる形状の１個以上の溝が、形成されている構成を有するものとしておく。
【００１３】
このような構成を有する本発明のスキャナ・操作パネル用スタンドを用いれば、天板上に形成されている溝の中を這わせるだけで、操作パネルに接続されたケーブルを、天板の後方側（操作パネルが取り付けられる側の反対側）から引き出せることになる。従って、本発明のスキャナ・操作パネル用スタンドを用いれば、天板下にケーブルを這わせる作業が不要となる分、従来よりも簡単にケーブルの取り付け作業が行えることになる。
【００１４】
なお、本発明のスキャナ・操作パネル用スタンドを実現するに際しては、天板として、操作パネルを直接的に取り付けられるものと用いても良く、天板として、操作パネルを取り付けることが可能な部材である操作パネル取付板を介して操作パネルが取り付けられる部材を用いておいても良い。
【００１５】
そして、本発明の画像読取処理装置は、スキャナと操作パネルとを、本発明のスキャナ・操作パネル用スタンドとを用いて一体化した構成を有するものであるので、本発明の画像読取処理装置は、組み立てが容易に行える装置となっているということが出来る。
【００１６】
なお、本発明の画像読取処理装置を実現する際には、プリンタを付加しておくと共に、操作パネルとして、スキャナに行わせる処理の内容を指定するための操作とスキャナ及びプリンタに行わせる処理の内容を指定するための操作とを受け付ける装置を採用しておいても良い。
【００１７】
【発明の実施の形態】
以下、本発明の実施の形態を、図面を参照して詳細に説明する。
【００１８】
図１（Ａ），（Ｂ）に示したように、本発明の一実施形態に係る画像読取処理装置は、スキャナ１１とプリンタ１２と操作パネル１３とを、スキャナスタンド１５（天板１６と脚部１７とからなる台）と操作パネル取付板１８とを用いて一体化した装置である。また、本実施形態に係る画像読取処理装置は、図２に示したように、電源ケーブル３１〜３３によって、それぞれ、スキャナ１１，プリンタ１２，操作パネル１３に電力が供給される装置であって、操作パネル１３が、スキャナ１１，プリンタ１２，電話回線網及びＬＡＮに、それぞれ、スキャナ用ケーブル２１，プリンタ用ケーブル２１，モジュラケーブル２３及びＬＡＮケーブル２４によって接続される装置となっている。なお、本実施形態に係る画像読取処理装置は、スキャナスタンド１５、或いは、スキャナスタンド１５と操作パネル取付板１８とからなる部分が、スキャナ・操作パネル用スタンドに相当する装置となっている。
【００１９】
この画像読取処理装置を構成しているスキャナ１１，プリンタ１２は、コンピュータの周辺機器として使用することが可能な装置（操作パネル１３に接続しなくても使用可能な装置）である。
【００２０】
操作パネル１３は、スキャナ１１及びプリンタ１２（及び操作パネル１３）を、コピー機やファクシミリ装置として動作させる機能と、スキャナ１１（及び操作パネル１３）を、一種のネットワークスキャナとして動作させる機能とを有する装置である。
【００２１】
この操作パネル１３の外観図を、図３（Ａ）〜図３（Ｃ）に示す。なお、図３（Ａ）は、操作パネル１３の、上面側から見た外観図であり、図３（Ｂ）、図３（Ｃ）は、それぞれ、操作パネル１３の、下面側（操作パネル取付板１８と接する側）、背面側（図１（Ａ）におけるスキャナ１１側）から見た外観図である。
【００２２】
図３（Ａ）に示してあるように、操作パネル１３の上面側には、本画像読取処理装置に行わせる処理内容を指定する際にユーザが操作するタッチスクリーンや複数の押しボタンスイッチが、取り付けられている。
【００２３】
一方、操作パネル１３の下面側には、図３（Ｂ）に示してあるように、スキャナ用ケーブル２１を接続するためのコネクタ２１ｃとプリンタ用ケーブル２２を接続するためのコネクタ２２ｃとが設けられている凹部１４１が、形成されている。さらに、操作パネル１３の下面側には、モジュラケーブル２３を接続するためのコネクタ２３ｃとＬＡＮケーブル２４を接続するためのコネクタ２４ｃと電源ケーブル３３を接続するためのコネクタ３３ｃとが設けられている凹部１４２も、形成されている。
【００２４】
また、操作パネル１３の下面側に形成されている凹部１４１は、図３（Ｂ）、（Ｃ）に示してあるように、コネクタ２１ｃ，２２ｃに接続されているスキャナ用ケーブル２１，プリンタ用ケーブル２２を、操作パネル１３の背面側（スキャナ１１と対向する側；図１参照）から引き出せる形状であって、スキャナ用ケーブル２１，プリンタ用ケーブル２２のコネクタ近傍に設けられているノイズカットフィルタ２１ｆ，２２ｆを、その内部に収容できる形状のものとなっている。操作パネル１３の下面側に形成されている凹部１４２も、コネクタ２３ｃ，２４ｃ，３３ｃに接続されたモジュラケーブル２３，ＬＡＮケーブル２４，電源ケーブル３３を、操作パネル１３の背面側から引き出せる形状であって、電源ケーブル３３のコネクタ近傍に設けられているノイズカットフィルタ３３ｆを、その内部に収容できる形状のものとなっている。
【００２５】
そして、本実施形態に係る画像読取処理装置は、このような形状の操作パネル１３を、図４〜図６に示した形状のスキャナスタンド１５及び操作パネル取付板１８を用いて、スキャナ１１及びプリンタ１２と組み合わせた装置となっている。
【００２６】
すなわち、本実施形態に係る画像読取処理装置に用いられているスキャナスタンド１５は、図４に示してあるように、天板１６に、天板１６を床面にほぼ平行な形で保持するための脚部１７であって、天板１６の床面からの高さを調節可能な脚部１７が取り付けられたものとなっている。また、このスキャナスタンド１５は、天板１６として、操作パネル取付板１８の突起部１８ｂ（図５参照）と嵌合構造をなしている操作パネル取付板固定部１６ｂを有し、２個のケーブルガイド溝１６ａ（詳細は後述）がその上面に形成されている部材を採用したものとなっている。なお、本実施形態に係るスキャナスタンド１５は、スチールを加工して製造されたものとなっている。
【００２７】
一方、操作パネル取付板１８は、図５（Ａ）に示したように、ケーブル２１〜２４，３３が接続された操作パネル１３の下面にねじ止めされる、スチール製の部材であると共に、操作パネル取付板１８をスキャナスタンド１５に対して固定（ねじ止め）するための突起部１８ｂが背面側に設けられた部材となっている。また、操作パネル取付板１８は、図５（Ａ）及び図５（Ｂ）に示してあるように、操作パネル１３が取り付けられた場合に操作パネル１３の凹部１４１、１４２と対向することになる各部分に、ケーブル２１〜２３、３３の操作パネル１３下での自由度を増すためのテーパー部１８ａが形成されている部材ともなっている。
【００２８】
そして、上記した各ケーブルガイド溝１６ａは、ケーブル２１及び２２、或いは、ケーブル２３，２４及び３３を内部に収容可能な断面形状を有するものであると共に、操作パネル取付板１８をスキャナスタンド１５に取り付けると、図６（Ａ）及び図６（Ｂ）に示したように、テーパー部１８ａとケーブルガイド溝１６ａとによって操作パネル取付板１８からスキャナスタンド１５の背面側まで到達する溝が形成されるものとなっている。なお、図６（Ｂ）は、図６（Ａ）にて破線が示されている部分の断面図である。
【００２９】
また、各ケーブルガイド溝１６ａは、図６（Ｂ）に示してあるように、スキャナスタンド１５の背面側の端部（図６（Ｂ）における右端）の底面が、下向きに湾曲した形状のものとなっている。
【００３０】
すなわち、本実施形態に係る操作パネル１３、操作パネル取付板１８及びスキャナスタンド１５は、図７に示したように、操作パネル１３を取り付けた操作パネル取付板１８をスキャナスタンド１５に取り付ける作業を行うと、図８及び図９に示したように、ケーブル２１〜２４，３３が、天板１６上の２個のケーブルガイド溝１６ａ内に収まっている状態が形成されるものとなっている。換言すれば、本実施形態に係る画像読取処理装置は、操作パネル１３の取り付け作業を行うと、天板５６（図１６参照）下にケーブルを這わせる作業相当の作業が完了する装置であって、その後、幾つかのケーブルクランプ５９にてケーブル２１〜２４，３３を脚部１７に対して取り付ける作業のみを行えば、各種ケーブルの取り付け作業が完了する装置となっている。
【００３１】
従って、この画像読取処理装置は、天板１６下にケーブルを這わせる作業を行わなくても良い分、従来よりも簡単にケーブルの取り付け作業が行える装置となっていると言うことが、出来る。
【００３２】
＜変形形態＞
本実施形態に係る画像読取処理装置は、各種の変形を行うことが出来る。例えば、上記した画像読取処理装置は、プリンタ１３を備えたものであったが、画像読取処理装置を、スキャナ１１と操作パネル１３とを備える（プリンタ１３を備えない）装置に変形しておいても良い。また、操作パネル１３が、各種ケーブルを背面側から取り出せる形状の装置となっている（図３参照）のは、操作パネル１３を、通常の机上に載置して使用することが可能な装置としておくためであるので、操作パネル１３を、常にスキャナスタンド１５（及び操作パネル取付板１８）と組み合わせて使用する装置とする場合には、操作パネル１３を、下面から各種ケーブルが引き出せる装置としておいても良い。
【００３３】
また、操作パネル取付板１８に、テーパー部１８ａを設けているのは、操作パネル１３の直後（図８参照）までスキャナ１３を近づけられるようにするためである。このため、操作パネル１３の直後（図８参照）までスキャナ１３を近づける必要がない場合には、操作パネル取付板１８を、テーパー部１８ａを備えていないものとすることが出来る。
【００３４】
また、スキャナスタンド１５と操作パネル取付板１８とを一体化しておいても良いことや、スキャナスタンド１５上に設けるケーブルガイド溝１６ａの本数を２本とは異なるものとしておいても良いことや、操作パネル１３として、操作パネル５３（図１１参照）と機能的な構成が等しい装置（他の装置との間の接続の仕方が等しい装置）ものを用いても良いことなどは、当然のことである。
【図面の簡単な説明】
【図１】本発明の一実施形態に係る画像読取処理装置の外観図。
【図２】画像読取処理装置の構成を示すブロック図。
【図３】画像読取処理装置に用いられている操作パネルの外観図。
【図４】画像読取処理装置に用いられているスキャナスタンドの外観図。
【図５】画像読取処理装置に用いられている操作パネル取付板の説明図。
【図６】スキャナスタンド及び操作パネル取付板の説明図。
【図７】画像読取処理装置の組み立て手順の説明図。
【図８】画像読取処理装置の組み立て手順の説明図。
【図９】画像読取処理装置の組み立て手順の説明図。
【図１０】既存のデジタル複合機の外観図。
【図１１】既存のデジタル複合機の構成を示すブロック図。
【図１２】既存のデジタル複合機に用いられている操作パネルの外観図。
【図１３】既存のデジタル複合機に用いられているスキャナスタンドの外観図。
【図１４】既存のデジタル複合機に用いられている操作パネル取付板の説明図。
【図１５】既存のデジタル複合機の組み立て手順の説明図。
【図１６】既存のデジタル複合機の組み立て手順の説明図。
【符号の説明】
１１  スキャナ、１２  プリンタ、１３  操作パネル、
１５  スキャナスタンド、１６  天板、１６ａ、ケーブルガイド溝、
１７  脚部、  ２１〜２４，３１〜３３  ケーブル
【図１】
2004343305.tif 000003
【図２】
2004343305.tif 000004
【図３】
2004343305.tif 000005
【図４】
2004343305.tif 000006
【図５】
2004343305.tif 000007
【図６】
2004343305.tif 000008
【図７】
2004343305.tif 000009
【図８】
2004343305.tif 000010
【図９】
2004343305.tif 000011
【図１０】
2004343305.tif 000012
【図１１】
2004343305.tif 000013
【図１２】
2004343305.tif 000014
【図１３】
2004343305.tif 000015
【図１４】
2004343305.tif 000016
【図１５】
2004343305.tif 000017
【図１６】
2004343305.tif 000018